(57)【特許請求の範囲】
【請求項１】
下端が開口する箱状のケース体を壁面等に固定的に取付け、このケース体内に、戸棚本体を昇降可能に収容してなる昇降式戸棚において、
前記ケース体の前面板の下半部を開閉扉とし、該開閉扉を、前記戸棚本体が下限位置まで下降したとき開き、ケース体内に収容される上限位置まで上昇したとき閉じるように、戸棚本体に開閉手段を介して連係し、前記開閉扉が、上端を中心として上下に開閉されるものであり、開閉手段が、ケース体の両側板の内面における上下に開閉される開閉扉の上端部近傍に、上下に回動可能に上端が枢着され、下端が開閉扉の裏面に接触可能な、中間部を後向きに折曲した左右１対の開閉アームと、該両開閉アームの後向き折曲部と対向する戸棚本体の前端下部に形成され、前記後向き折曲部の後端が摺接することにより、前記開閉アームを、その下端がケース体内に収容される位置からケース体の前方に突出するまでの間を上下に回動させる傾斜カム面と、この傾斜カム面の上端と連続して形成され、開閉アームをケース体の前方に突出させた状態に保持する垂直カム面とからなっていることを特徴とする昇降式戸棚。
【請求項２】
開閉アームにおける開閉扉との接触部と、戸棚本体の傾斜カム面及び垂直カム面の摺接部とに、回動自在なローラを設けた請求項１に記載の昇降式戸棚。
【発明の詳細な説明】
【０００１】
【発明の属する技術分野】
本発明は、台所等の壁面に取付けられる昇降式の戸棚に係り、特に前面の開閉扉の構造に関する。
【０００２】
【従来の技術】
近年、台所の壁面上部のデッドスペースを利用して、その部分に動力により上下動させられる昇降式の戸棚を取付ける例が多くなってきている。
【０００３】
この種の昇降式の戸棚は、例えば実用新案登録第２５１６５４７号公報や実公平５−１３２１６号公報に記載されているもののように、外ケース内に戸棚本体を昇降可能に収容したものや、前面に扉を有する戸棚自体を昇降可能としたものがある。
【０００４】
【発明が解決しようとする課題】
上述した従来の前者の昇降式戸棚は、壁面に固定的に取付けられた外ケースの前面板全体が戸棚の扉を兼ねているため、戸棚内に物品を出し入れする際には、戸棚本体を大きく下降させなければならず、その分、戸棚本体の下方に食器や調理器具等を置くスペースが小さくなるという問題がある。
【０００５】
上記従来の後者のものは、戸棚の前面に、観音開き状の手動式の扉を取付けているため、物品の出し入れの都度、扉を開閉しなければならず、その操作が面倒である。
【０００６】
本発明は、上記問題点を解決するためになされたもので、戸棚本体を大きく下降させなくても、前面が解放されるようにし、もって、戸棚本体の下方のスペースを有効に利用しうるようにするとともに、戸棚本体の昇降と連動して開閉扉を開閉させることにより、物品の出し入れを容易に行うことができるようにした昇降式戸棚を提供することを目的としている。
【０００７】
【課題を解決するための手段】
上記課題を解決するために、本発明の昇降式戸棚は、下端が開口する箱状のケース体を壁面等に固定的に取付け、このケース体内に、戸棚本体を昇降可能に収容してなる昇降式戸棚において、前記ケース体の前面板の下半部を開閉扉とし、該開閉扉を、前記戸棚本体が下限位置まで下降したとき開き、ケース体内に収容される上限位置まで上昇したとき閉じるように、戸棚本体に開閉手段を介して連係し、前記開閉扉が、上端を中心として上下に開閉されるものであり、開閉手段が、ケース体の両側板の内面における上下に開閉される開閉扉の上端部近傍に、上下に回動可能に上端が枢着され、下端が開閉扉の裏面に接触可能な、中間部を後向きに折曲した左右１対の開閉アームと、該両開閉アームの後向き折曲部と対向する戸棚本体の前端下部に形成され、前記後向き折曲部の後端が摺接することにより、前記開閉アームを、その下端がケース体内に収容される位置からケース体の前方に突出するまでの間を上下に回動させる傾斜カム面と、この傾斜カム面の上端と連続して形成され、開閉アームをケース体の前方に突出させた状態に保持する垂直カム面とからなっていることを特徴としている。
この特徴によれば、戸棚本体が、昇降可能に収容されたケース体の前面板の下半部を開閉扉としているため、戸棚本体を大きく下降させなくても、その前面を解放することができ、戸棚本体の下方のスペースを有効に利用することができる。
また、開閉扉は、開閉手段を介して戸棚本体に連係してあるため、その開閉を戸棚本体の昇降と連動して自動的に行うことができ、面倒な開閉操作が必要なくなる。そして観音開き式扉のように、扉が両側方に大きく開かれることがないので、体裁がよいばかりか、電動式開閉手段等の高価なものを使用することなく、開閉扉を簡単な手段で開閉することができる。
【００１０】
本発明の昇降式戸棚は、開閉アームにおける開閉扉との接触部と、戸棚本体の傾斜カム面及び垂直カム面の摺接部とに、回動自在なローラを設けているのが好ましい。
このようにすると、開閉扉の開閉が円滑となるとともに、互いの接触部の摩耗を防止することができる。
【００１１】
【発明の実施の形態】
以下、本発明の実施例を図面に基づいて説明する。図１は昇降式吊り戸棚の一部断面を示す斜視図であり、図２は図１のＡ−Ａ断面図である。
【００１２】
先ず図１、図２には、本発明の適用された昇降式吊り戸棚の要部が示されており、１は昇降式吊り戸棚（以下吊り戸棚と称する）であり、この吊り戸棚１は、家庭の台所の壁面Ｗ等に固定的に取付けられるケース体２と、ケース体２内に昇降可能に収容された吊り戸棚本体Ｒとで構成されている。
【００１３】
ケース体２は、箱状に形成されて下端が開口した構造であって、一側面に設けられる取付部４が垂直壁面等に取付けられて２枚の側板３ａ、３ｂが並設され、２枚の側板３ａ、３ｂの他側面上下には上部前面板５と下方前面板６とから成る前面板が取付けられている。
【００１４】
下方前面板６は、その上端が上部前面板５の下端にヒンジ７ａ、７ｂを介して回動可能に支持され、ヒンジ７ａ、７ｂを中心として上下に開閉可能な開閉扉として構成されている。
【００１５】
この開閉扉６は、吊り戸棚本体Ｒが下限位置まで下降したとき開き、ケース体２内の上限位置まで上昇したとき閉じるように、吊り戸棚本体Ｒに開閉手段８ａ、８ｂを介して連係可能に構成されている。
【００１６】
更に詳しくは、開閉手段８ａ、８ｂは、ケース体２の両側板３ａ、３ｂの内面における上下に開閉される開閉扉６の上端部近傍に、中間部位を後向きに折曲して「へ字」状に形成された左右一対の開閉アーム１４ａ、１４ｂと、吊り戸棚本体Ｒの昇降動作に開閉アーム１４ａ、１４ｂを連係して回動し、開閉扉６を開閉させる傾斜カム面１５ａ、１５ｂ及び垂直カム面１６ａ、１６ｂとから構成されている。
【００１７】
開閉アーム１４ａ、１４ｂは、上端の支持部９ａ、９ｂで前面側に向けて上下に回動可能に枢着されており、前面側に向けて上方に回動した際に、両開閉アーム１４ａ、１４ｂ下端の支持部１０ａ、１０ｂに枢支されたガイドローラＲ１、Ｒ１が、開閉扉６の裏面に接触可能に中間部位における後向き折曲部１２ａ、１２ｂに枢支されれいる。
【００１８】
傾斜カム面１５ａ、１５ｂは、吊り戸棚本体Ｒが昇降移動する際にガイドローラＲ１、Ｒ１後端の摺接により、開閉アーム１４ａ、１４ｂの下端支持部１０ａ、１０ｂがケース体２内に収容される位置からケース体２の前方に突出するまでの間を上下に回動するようになっている。
【００１９】
また、垂直カム面１６ａ、１６ｂは、傾斜カム面１５ａ、１５ｂの上端と連続して形成され、開閉アーム１４ａ、１４ｂをケース体２の前方に突出させた状態に保持するようになっている。
【００２０】
なお、フリーな状態で回動可能に枢支される開閉アーム１４ａ、１４ｂの支持部９ａ、９ｂに、例えば図示しないトーションバネを介装させることによって、開閉アーム１４ａ、１４ｂを後方に付勢するようにすれば好適である。このようにすれば、開閉アーム１４ａ、１４ｂは後向き折曲部１２ａ、１２ｂのガイドローラＲ２、Ｒ２が、常時、垂直カム面１６ａ、１６ｂまたは傾斜カム面１５ａ、１５ｂに当接された状態で維持され、フリーの状態にある開閉アーム１４ａ、１４ｂの自重によって下端支持部１０ａ、１０ｂが前方に突出されて、このローラＲ１、Ｒ１によって開閉扉６が押し開かれることはない。
【００２１】
更に、吊り戸棚本体Ｒは、前面が開口する箱体状に構成され、箱体の両側面上方には一対のガイドローラ１８ａ、１８ｂが上下に回転可能に軸支され、これら左右のガイドローラ１８ａ、１８ｂは、ケース体２両側板３ａ、３ｂの内側に縦方向に取り付けられたガイドレール２０ａ、２０ｂに転動可能に案内支持されている。
【００２２】
また、吊り戸棚本体Ｒ上端の天板２２の中央には昇降用モータＭが取付けられ、この昇降用モータＭの両側にはプーリ２３ａ、２３ｂが枢支されたブラケットＢＫ１、ＢＫ２が配設されている。
【００２３】
昇降用モータＭの出力軸に固定されたプーリ２４には、１本のロープ２６の中央部分が多重に巻回され、このロープ２６は、両プーリ２３ａ、２３ｂを介して上方に曲げられて、その両端は両側板３ａ、３ｂ近傍の壁面Ｗにそれぞれ平行に取付けられた逆Ｌ字形ブラケット２５ａ、２５ｂの突出部位に固定され、吊り戸棚本体Ｒを昇降可能に懸吊支持している。この昇降用モータＭは図示しないスイッチによりＯＮ、ＯＦＦ制御されるようになっている。
【００２４】
次に上記のように構成された昇降式吊り戸棚の作用につき図１、図２を参照して説明する。
【００２５】
通常は、食器類または食品類が収容された吊り戸棚本体Ｒは、ケース体２内の上限位置（すなわち、吊り戸棚本体Ｒの前面開口がケース体２の上部前面板５と下方前面板６とから成る前面板によって完全に閉塞される位置）に収容されている。この場合、ロープ２６は昇降用モータＭ出力軸のプーリ２４に多重に巻回されて、吊り戸棚本体Ｒを上限位置まで吊り上げた状態で保持している。
【００２６】
そこで、スイッチがＯＮされて昇降用モータＭが起動されると、この昇降用モータＭの出力軸に固定されたプーリ２４が所定方向に回転し、多重に巻回されているロープ２６をプーリ２４の両側に伸長することで、吊り戸棚本体Ｒは、自重により下降移動する。
【００２７】
吊り戸棚本体Ｒが上限位置にあるときは、開閉アーム１４ａ、１４ｂは上端支持部９ａ、９ｂにフリー状態で支持されており、後向き折曲部１２ａ、１２ｂに枢支されているガイドローラＲ２、Ｒ２が傾斜カム面１５ａ、１５ｂに接触し、開閉アーム１４ａ、１４ｂの下端支持部１０ａ、１０ｂはケース体２の内部に位置している。
【００２８】
次に、吊り戸棚本体Ｒの下降移動に従って、開閉手段８ａ、８ｂである左右一対の開閉アーム１４ａ、１４ｂは、後向き折曲部１２ａ、１２ｂに枢支されているガイドローラＲ２、Ｒ２が傾斜カム面１５ａ、１５ｂを上方に移動する。
【００２９】
ガイドローラＲ２、Ｒ２が傾斜カム面１５ａ、１５ｂから垂直カム面１６ａ、１６ｂに案内されて移動することによって、開閉アーム１４ａ、１４ｂは、図２に示されるように、上端支持部９ａ、９ｂを支点として時計回りに回動して下端支持部１０ａ、１０ｂが前方に突出し、このローラＲ１、Ｒ１によって開閉扉６がしだいに前方に押し開かれる。
【００３０】
従って、開閉扉６が前方に大きく開放された状態で、吊り戸棚本体Ｒが下限位置（すなわち、吊り戸棚本体Ｒの上端が上部前面板５の下端に位置し、吊り戸棚本体Ｒ前面の開口が完全に露呈する位置）まで下降することとなり、内部に収容されている食器類または食品を容易に取り出すことができる。
【００３１】
このように、吊り戸棚本体Ｒが昇降可能に収容されたケース体２の前面板の下半部を開閉扉６としているため、吊り戸棚本体Ｒを大きく下降させなくても、その前面を解放することができ、吊り戸棚本体Ｒ下方のスペースを有効に利用することができる。
【００３２】
また、開閉扉６は、開閉手段８ａ、８ｂを介して吊り戸棚本体Ｒに連係してあるため、その開閉を吊り戸棚本体Ｒの昇降動作と連動して自動的に行うことができ、面倒な開閉操作が不要となる。
【００３３】
そして、開閉扉６が、上端支持部９ａ、９ｂを中心として上下に開閉されるよう構成されいるので、観音開き式扉のように、扉が両側方に大きく左右に開かれることがないので、左右との干渉がなく体裁が良くなる。
【００３４】
更に、開閉手段８ａ、８ｂが、吊り戸棚本体Ｒの昇降動作に連動して開閉扉６を機構的に開閉することができるので、電動式開閉手段等の高価なものを使用することなく、開閉扉６を簡単な手段で開閉することができる。
【００３５】
また、開閉アーム１４ａ、１４ｂにおける下端支持部１０ａ、１０ｂと後向き折曲部１２ａ、１２ｂとに、回動自在なローラＲ１、Ｒ２がそれぞれ枢着されているので、開閉扉６の開閉が円滑となるとともに、互いの接触部の摩耗を防止することができる。
【００３６】
以上、本発明の実施例を図面により説明してきたが、具体的な構成はこれら実施例に限られるものではなく、本発明の要旨を逸脱しない範囲における変更や追加があっても本発明に含まれる。
【００３７】
【発明の効果】
本発明は以下の効果を奏する。
【００３８】
（ａ）請求項１項の発明によれば、戸棚本体が昇降可能に収容されたケース体の前面板の下半部を開閉扉としているため、戸棚本体を大きく下降させなくても、その前面を解放することができ、戸棚本体の下方のスペースを有効に利用することができる。
また、開閉扉は、開閉手段を介して戸棚本体に連係してあるため、その開閉を戸棚本体の昇降と連動して自動的に行うことができ、面倒な開閉操作が必要なくなる。そして観音開き式扉のように、扉が両側方に大きく開かれることがないので、体裁がよいばかりか、電動式開閉手段等の高価なものを使用することなく、開閉扉を簡単な手段で開閉することができる。
【００４１】
（ｂ）請求項２項の発明によれば、開閉扉の開閉が円滑となるとともに、互いの接触部の摩耗を防止することができる。
【図面の簡単な説明】
【図１】本発明の一実施形態であって昇降式吊り戸棚の一部断面を示す斜視図である。
【図２】図１のＡ−Ａ断面図である。
【符号の説明】
１                      吊り戸棚（戸棚）
２                      ケース体
３ａ、３ｂ              側板
４                      取付部
５                      上部前面板
６                      下方前面板（開閉扉）
７ａ、７ｂ              ヒンジ
８ａ、８ｂ              開閉手段
９ａ、９ｂ              上端支持部（上端）
１０ａ、１０ａ          下端支持部（下端）
１２ａ、１２ｂ          折曲部
１４ａ、１４ｂ          開閉アーム
１５ａ、１５ｂ          傾斜カム面
１６ａ、１６ｂ          垂直カム面
１８ａ、１８ｂ          ガイドローラ
２０ａ、２０ｂ          ガイドレール
２２                    天板
２３ａ、２３ｂ          プーリ
２４                    プーリ
２５ａ、２５ｂ          ブラケット
２６                    ロープ
ＢＫ１、ＢＫ２          ブラケット
Ｍ                      昇降用モータ
Ｒ                      吊り戸棚本体
Ｒ１、Ｒ２              ガイドローラ
Ｗ                      壁面
【図１】
0004504521.tif 000002
【図２】
0004504521.tif 000003